(57)【要約】【課題】  親バッグの側袋に、装飾突起部のある子バッグを収容し、子バッグを収容した状態で、その装飾部を親子バッグ全体の装飾とする、使い勝手が良くデザイン性にも優れた側袋付き装飾親子バッグを提供する。【解決手段】  装飾突起部を備えた子バッグと、該子バッグを収容する側袋の設けられた親バッグとからなる親子バッグであって、親バッグの側袋に子バッグを収納した状態で、子バッグの装飾突起部が親バッグの側袋の上端から外部に突出するように、親バッグの側袋の縦幅を、子バッグの装飾突起部を含めた縦の全長の寸法より短く形成した構成である。【選択図】  図１
2014046099.tif 000002
【特許請求の範囲】
【請求項１】
装飾突起部を備えた子バッグと、該子バッグを収容する側袋の設けられた親バッグとからなる親子バッグにおいて、
親バッグの側袋に子バッグを収納した状態で、子バッグの装飾突起部が親バッグの側袋の上端から外部に突出するように、親バッグの側袋の縦幅を、子バッグの装飾突起部を含めた縦の全長の寸法より短く形成したことを特徴とする側袋付き装飾親子バッグ。
【請求項２】
前記子バッグの装飾突起部は、うさぎの細長耳、ねずみの耳、小象の耳、小動物の尻尾、動物の手、動物の足からなることを特徴とする請求項１記載の側袋付き装飾親子バッグ。
【請求項３】
前記側袋は、マチを有する袋体からなり、前記子バッグは、マチを有する側袋に収容される大きさであることを特徴とする請求項１または請求項２記載の側袋付き装飾親子バッグ。
【発明の詳細な説明】
【技術分野】
【０００１】
本発明は、本体となる親バッグに子バッグを収容する形式の大小２種類からなる親子バッグに関し、特に、装飾突起部を有する子バッグを収容する側袋を親バッグに設け、子バッグを収納すると子バッグの装飾突起部が全体の親バッグの装飾部となる構成の側袋付き装飾親子バッグに関する。
【背景技術】
【０００２】
従来より、各種デザインのバッグが提供されており、デザイン性や機能性に優れた様々なバッグが開発され、使い勝手の良い便利なバッグについての数多くの製品が提供されている。その中で、バッグの組み合わせ方に着目し、大小２種類からなる親子バッグを組み合わせた構造とすることで、より使い勝手が良く、かつ、購買者への可愛らしさを追求する要請にマッチするデザイン性に優れたバッグを提供することが求められている。
【０００３】
親子バッグに関する技術として、例えば、実用新案登録第３１０２２７４号に開示された技術がある。ここでは、通常サイズの折畳みバッグ部と、携帯小型バッグ部とからなるバッグの技術が開示されており、携帯小型バッグ部が有効に使用できることが示唆されている。
しかし、開示された発明によると大小のバッグは一方のバッグを収納するために折り畳む必要があり、使い勝手が良いということは出来なかった。また、デザイン性に優れているとは言えず、購買意欲を刺激するという観点からも十分という事は出来なかった。
【０００４】
また、実用新案登録第３１７４６７５号では、収納した状態で鑑賞用、装飾用に供するとともに、携行時に周囲に癒しや安らぎを与えることを可能とする人形付バッグとして、人形が内部にバッグを収納する空洞部を有し、バッグが内部もしくは外部に人形を保持する人形保持部を有する構造に関する技術が開示されている。
しかしながら、開示された発明によると、デザイン性に優れたバッグを提供することは可能となるが、人形には実用性がなく、全体としては使い勝手の良いバッグという事ができなかったのが実情である。
【０００５】
そこで、使い勝手の良い大小２種類からなる親子バッグであって、一方を容易に他方のバッグに収納でき、かつ、デザイン性にも優れた装飾性と可愛さを兼ね備えた親子バッグの開発が望まれていた。
【特許文献１】実用新案登録第３１０２２７４号公報
【特許文献２】実用新案登録第３１７４６７５号公報
【発明の開示】
【発明が解決しようとする課題】
【０００６】
本発明は上記問題を解決するために、大小２種類からなる親子バッグであって、特に、親バッグの側袋に、装飾突起部のある子バッグを収容し、子バッグを収容した状態で、その装飾部を親子バッグ全体の装飾とする、使い勝手が良くデザイン性にも優れた側袋付き装飾親子バッグを提供することを目的とする。
【課題を解決するための手段】
【０００７】
上記の目的を達成するために本発明に係る側袋付き装飾親子バッグは、装飾突起部を備えた子バッグと、該子バッグを収容する側袋の設けられた親バッグとからなる親子バッグであって、親バッグの側袋に子バッグを収納した状態で、子バッグの装飾突起部が親バッグの側袋の上端から外部に突出するように、親バッグの側袋の縦幅を、子バッグの装飾突起部を含めた縦の全長の寸法より短く形成した構成である。
【０００８】
また、前記子バッグの装飾突起部は、うさぎの細長耳、ねずみの耳、小象の耳、小動物の尻尾、動物の手、動物の足からなる構成である。
【０００９】
更に、前記側袋は、マチを有する袋体からなり、前記子バッグは、マチを有する側袋に収容される大きさである構成である。
【発明の効果】
【００１０】
本発明は、上記詳述した通りの構成であるので、以下のような効果がある。
１．大小２種類からなる親子バッグからなるため、使い勝手が良いバッグとすることが出来る。また、子バッグの装飾突起部が親バッグの側袋に子バッグを収納した状態で、親バッグの側袋の上端から子バッグの装飾部だけが外部に突出することとなり、親子バッグ全体の装飾となり、収納性が良く、取り扱いやすい構成となるとともに、デザイン性にも優れたバッグとすることが出来る。
２．子バッグの装飾突起部を、うさぎの細長耳、ねずみの耳、小象の耳、小動物の尻尾、動物の手、動物の足等の形状としたため、デザイン性に優れたバッグとすることにより、子バッグを取り替えることにより各種の装飾を楽しむことが可能となると供に、購買者の購買意欲を刺激することができる。
３．親バッグの側袋はマチを有する袋体からなり、子バッグはマチを有する側袋に収容されるため、収納性・デザイン性に優れたバッグとすることが出来る。
【発明を実施するための最良の形態】
【００１１】
以下、本発明に係る側袋付き装飾親子バッグを、図面に示す実施例に基づいて詳細に説明する。図１は、本発明の側袋付き装飾親子バッグの斜視図である。図２は、子バッグの斜視図であり、図３は、側袋付き装飾親子バッグの側面図である。
本発明の側袋付き装飾親子バッグ１０は、図１に示すように、親バッグ２０と、子バッグ３０とからなる。
【００１２】
親バッグ２０は、子バッグ３０を収容保持する本体となるバッグであり、図１に示すように、親バッグ本体２２と、親バッグ提げ手２４と、側袋４０とからなる。親バッグ本体２２は、親バッグ２０の本体であり、上部が開口する袋状からなる。また、親バッグ提げ手２４は、親バッグ２０を持つための細長の提げ手状部材であり、親バッグ本体２２の開口部分に１本または複数本延設される。
【００１３】
側袋４０は、子バッグ３０を収容保持するための袋体であり、図１に示すように、親バッグ本体２２の側面に設けられる。側袋４０は、子バッグ３０を収納するため、子バッグ３０の横幅よりも広い開口を有する構成である。なお、本実施例では、側袋４０に子バッグ３０を収容した際の外観のデザイン性を考慮し、開口が親バッグ２０を側面から見て略Ｖ字型となるような形状としている。
【００１４】
側袋４０の深さとなる縦幅は、子バッグの全長の寸法より短く構成されている。これにより、側袋４０に収容された子バッグの装飾部分が側袋４０の上端開口より外に突出することになる。
【００１５】
子バッグ３０は、親バッグ２０より小型のバッグであり、図２に示すように、子バッグ本体３２と、装飾突起部３４と、子バッグ提げ手３６とからなる。子バッグ本体３２は、収容する対象物を格納する袋体である。また、装飾突起部３４は、子バッグ本体３２上部に設置される突起状の装飾体であり、後述するように、動物の耳等様々な形状を自由に選択することによってバッグのデザイン性を高める部材である。
【００１６】
また、子バッグ提げ手３６は、子バッグ３０を持つための細長の提げ手状部材であり、本実施例では、図２に示すように１本設置しているが、複数本設置することも可能である。また、子バッグ提げ手３６を設けない形状の実施例も考えられる。
【００１７】
子バッグ３０は、親バッグ２０に収容可能となっている。子バッグ３０は、親バッグ２０の側袋４０に収納される。親バッグ２０の側袋４０の上端までの袋の高さとなる縦幅は、子バッグ３０の装飾突起部３４を含めた縦の全長の寸法より低くなる高さに形成されており、子バッグ３０の装飾突起部３４が、親バッグ２０の側袋４０に子バッグ３０を収納した状態で、親バッグ２０の側袋４０の上端から外部に突出する構成となっている。これにより、親バッグ２０の側袋４０の上端から子バッグ３０が少しだけ外部に突出することとなるため、親子バッグ全体の装飾として子バッグの突起を利用することが出来るので、収納性が良くなり、取り扱いやすい親子バッグを構成することが可能となるとともに、デザイン性にも趣向性にも富んだ優れた親子バッグを構成することが可能となった。
【００１８】
子バッグ３０の装飾突起部３４は、例えば、うさぎの細長耳、ねずみの耳、小象の耳、小動物の尻尾、動物の手、動物の足等々の各種の形状とすることが可能である。このような形状とすることにより、デザイン性・選択性に優れた子バッグ３０を構成することが可能となる。さらに、この形状の装飾突起部３４を設けた子バッグ３０を親バッグ２０の側袋４０に収容することにより、側袋４０から僅かに動物の耳や尻尾等が覗く構成となる。これにより、動物が隠れているような可愛らしさを演出することができ、本発明の側袋付き装飾親子バッグ１０の携帯時には、所有者のみならず、側袋付き装飾親子バッグ１０を視認する周囲の者に癒し等の効果を与える事が可能となるほか、購買意欲を刺激することが可能となる。なお、装飾突起部３４の形状は、上記列挙した動物の部分の形状に限定されるものではない。
【００１９】
親バッグ２０の側袋４０は、図３に示すように、マチ４２を有する構成とすることが可能である。子バッグ３０は、マチ４２を有する側袋４０に収容される。この構成とすることにより、子バッグ３０を側袋４０に収容しやすくなるとともに、側袋４０への子バッグ３０の収容時に、子バッグ３０が変形する事を防止することができる。これにより、型崩れを起す事がなく、収納性・デザイン性に優れた側袋付き装飾親子バッグ１０を構成することが可能となった。
【図面の簡単な説明】
【００２０】
【図１】本発明の側袋付き装飾親子バッグの斜視図
【図２】子バッグの斜視図
【図３】側袋付き装飾親子バッグの側面図
【符号の説明】
【００２１】
１０  側袋付き装飾親子バッグ
２０  親バッグ
２２  親バッグ本体
２４  親バッグ提げ手
３０  子バッグ
３２  子バッグ本体
３４  装飾突起部
３６  子バッグ提げ手
４０  側袋
４２  マチ
【図１】
2014046099.tif 000003
【図２】
2014046099.tif 000004
【図３】
2014046099.tif 000005